(57)【要約】【課題】  サムターンの非使用時にはケース体から摘み体を外方へ引き抜くだけでよいので引き抜き操作が簡単で、摘み体の引き抜き後にケース体へのサムターン回しを防止でき、摘み違いもできる、扉錠用のサムターンを安価に提供すること。【解決手段】  摘み体４０の軸部４１の周方向にはケース体３０の空室３５に臨む位置に凹部４３を形成すると共に、凹部４３の上方位置でケース体３０の空室３５には、バネ６１により常時には軸部４１の凹部４３に係合するように付勢されたロック部材６０を設け、摘み体４０の軸部４１及び摘み部４２と操作部材５０とは、摘み体４０の軸部４１の他端側と操作部材５０とに設けた係合機構７０の係合により一体に回動されるように設け、サムターン２０の非使用時には、摘み体４０はロック部材６０に対するバネの付勢力に抗して外方へ引き抜けるようにしてある。更に、摘み体４０と操作部材５０とは各々の係合機構７０が互いに異なるものを複数個設けてある。【選択図】        図３
2006194067.tif 000002
【特許請求の範囲】
【請求項１】
内部に空室を有するとともに軸嵌挿孔を有するケース体と、このケース体の軸嵌挿孔の一端側より回動自在かつ抜挿自在に嵌挿された軸部と該軸部に接続された摘み部とを有する摘み体と、前記ケース体の軸嵌挿孔の他端側に設けられ、かつ前記摘み体の軸部が接続された操作部材とを備えた扉錠用のサムターンであって、
前記摘み体の軸部の周方向にはケース体の空室に臨む位置に凹部を形成するとともに、前記凹部の上方位置でケース体の空室には、バネにより常時には前記軸部の凹部に係合するように付勢されたロック部材を設け、
前記摘み体の軸部及び摘み部と前記操作部材とは、摘み体の軸部の他端側と操作部材とに設けた係合機構の係合により一体に回動されるように設け、
サムターンの非使用時には、前記摘み体はロック部材に対するバネの付勢力に抗して外方へ引き抜けるようにしてあることを特徴とする扉錠用のサムターン。
【請求項２】
摘み体の軸部の係合機構としての被係合部が互いに異なる摘み体を複数個備えるとともに、
前記摘み体の被係合部に係合する係合機構としての係合部が互いに異なる操作部材を上記摘み体と同数個備えてなり、
上記摘み体と操作部材とは、摘み体の被係合部と操作部材の係合部とが係脱自在に係合できるもの同士が一対として選択使用できるようにしてある請求項１に記載の扉錠用のサムターン。
【発明の詳細な説明】
【技術分野】
【０００１】
本発明は、不正な解錠を防止できる扉錠用のサムターンに関する。
【背景技術】
【０００２】
最近、扉に取り付けられた扉錠においては、「サムターン回し」という錠の不正解錠行為が知られている。すなわち、このサムターン回しとは、扉錠を取り付けた扉と枠との隙間（いわゆるチリ）や、扉に穴をあけてその穴に針金や紐等の不正解錠用の道具を挿入し、この不正解錠用の道具を、扉錠の室内側に取り付けてあるサムターンのサムターン摘みに引掛けてサムターンの軸部を解錠方向に回動して、施錠状態の錠杆を後退して解錠するという、不正解錠行為である。
【０００３】
これの対応策として、特開平１１−２００６７８号公報（特許文献１）に示すように、室内側のサムターンケースをシリンダーとし、合鍵であるサムターンを着脱自在に設けたものであって、サムターン（合鍵）を引き抜く時はキーストッパー（スイッチ）を押し込んでから引き抜くようにしたものが知られている。
【０００４】
上記特許文献１のサムターンによれば、施錠状態ではサムターン（合鍵）を引き抜きぬいておくことによって、室外側から不正解錠用の道具によりサムターンの摘みを解錠方向に回動しようとしても、サムターンが無いので、サムターンを解錠方向に回動できないため、サムターン回しによる不正解錠を防止することができる。
【特許文献１】特開平１１−２００６７８号公報
【発明の開示】
【発明が解決しようとする課題】
【０００５】
しかしながら、上記特許文献１のサムターンは、構造がシリンダーと同じ構造の複雑なものとなり高価なものとなる。しかも、サムターンを引く抜く場合には、前述したようにキーストッパー（スイッチ）を押しながら引き抜く必要があるため、引き抜き操作が面倒であるという難点がある。
本発明は、上記特許文献１のサムターンの問題点を解決し、サムターンの構造もシリンダーのように複雑なものとならず、しかもサムターンを引き抜く時はケース体から摘み体を外方へ引き抜くだけでよいので引き抜き操作が簡単である。さらに、鍵違い的にサムターンの摘み違いを実現することにより、摘み体に対する不正使用を防止できる等、サムターン回しによる不正解錠を一層確実に防止できる安全な扉錠用のサムターンを提供することを目的とする。
【課題を解決するための手段】
【０００６】
上記目的を達成するため、本発明の請求項１記載の扉錠用のサムターンは、内部に空室を有するとともに軸嵌挿孔を有するケース体と、このケース体の軸嵌挿孔の一端側より回動自在かつ抜挿自在に嵌挿された軸部と該軸部に接続された摘み部とを有する摘み体と、前記ケース体の軸嵌挿孔の他端側に設けられ、かつ前記摘み体の軸部が接続された操作部材とを備えた扉錠用のサムターンであって、前記摘み体の軸部の周方向にはケース体の空室に臨む位置に凹部を形成するとともに、前記凹部の上方位置でケース体の空室には、バネにより常時には前記軸部の凹部に係合するように付勢されたロック部材を設け、前記摘み体の軸部及び摘み部と前記操作部材とは、摘み体の軸部の他端側と操作部材とに設けた係合機構の係合により一体に回動されるように設け、サムターンの非使用時には、前記摘み体はロック部材に対するバネの付勢力に抗して外方へ引き抜けるようにしてあることを特徴とする。
【０００７】
ここで、摘み体の軸部が接続される「操作部材」は、扉に面付け又は埋設された錠ケースに内装された錠機構部（デッドハブ）に連結され、前記摘み体の回動に連動して該錠機構部を介して錠杆を突出又は後退することによって、施錠又は解錠状態とするものである。
【０００８】
また、「ロック部材」は、実施例で示したボールやピンなどに限らず、適宜設計変更できる。
【０００９】
さらに、摘み体の軸部の他端側と操作部材とに設けた「係合機構」は、実施例で示した形状のものに限らず、適宜設計変更できる。
【００１０】
請求項２記載の扉錠用のサムターンは、鍵違い的にサムターンの摘み違いを実現するものであって、上記請求項１の構成において、摘み体の軸部の係合機構としての被係合部が互いに異なる摘み体を複数個備えるとともに、前記摘み体の被係合部に係合する係合機構としての係合部が互いに異なる操作部材を上記摘み体と同数個備えてなり、上記摘み体と操作部材とは、摘み体の被係合部と操作部材の係合部とが係脱自在に係合できるもの同士が一対として選択使用できるようにしてある。
【発明の効果】
【００１１】
本発明の請求項１記載の扉錠用のサムターンによれば、軸部と摘み部とを有する摘み体の軸部の周方向にはケース体の空室に臨む位置に凹部を形成するとともに、前記凹部の上方位置でケース体の空室には、バネにより常時には前記軸部の凹部に係合するように付勢されたロック部材を設け、前記摘み体の軸部及び摘み部と前記操作部材とは、摘み体の軸部の他端側と操作部材とに設けた係合機構の係合により一体に回動されるように設け、サムターンの非使用時には、前記摘み体はロック部材に対するバネの付勢力に抗して外方へ引き抜けるようにしてあることから、サムターンの非使用時にはケース体から摘み体を外方へ引き抜くだけでよく、特許文献１のサムターンのようにシリンダーと同じ複雑な構造にする必要もなく、しかもキーストッパー（スイッチ）を押しながら引き抜く必要がないので、摘み体の引き抜き操作が簡単に行える。
このとき、サムターンを施錠状態（つまり摘み体を施錠方向に回動した状態）で摘み体をケース体から引き抜いた場合、室外から摘み体の摘み部に針金や紐などの不正解錠用の道具を引掛けようとしても、前記摘み体が引き抜かれて存在しないので、サムターン回しによって不正解錠することができない。従って不正解錠を防止できる。
【００１２】
また、前記サムターンの施錠状態で摘み体がケース体から引き抜かれた状態においては、ケース体の空室内のロック部材はバネにより圧縮方向へ移動されており、該ロック部材がケース体の軸嵌挿孔を塞いでいる状態であるので、仮に、不正解錠用の道具を前記軸嵌挿孔の入口より進入させようとしても、前記ロック部材が進入を阻止する。そのため、サムターンを回動することは不可能であり不正解錠を防止できる。
【００１３】
さらに、摘み体の軸部の周方向にはケース体の空室に臨む位置に凹部を形成するとともに、前記凹部の上方位置でケース体の空室には、バネにより常時には前記軸部の凹部に係合するように付勢されたロック部材を設けているから、摘み体の軸部をケース体の軸嵌挿孔に嵌挿して取り付けた場合に、摘み体の軸部に形成した凹部にロック部材がバネにより強く押圧されているので、摘み体がケース体から脱落するのを防止する。
しかも、摘み体が施錠方向に回動されて施錠状態の場合でも、同様にロック部材がバネで凹部に強く押圧されているので、室外から不正解錠用の道具を摘み体の摘み部に引っ掛けるなどして摘み体を解錠方向へ回動しようとしても回動することができず、サムターン回しによる不正解錠を防止できる。
【００１４】
さらに、摘み体の軸部及び摘み部と前記操作部材とは、摘み体の軸部の他端側と操作部材とに設けた係合機構の係合により一体に回動されるように設けているから、摘み体の摘み部を正常に回動する場合には、確実にその軸部及び操作部材が一体に回動され、その回動に連動して錠杆が突出又は後退して施錠又は解錠される。
【００１５】
請求項２記載の扉錠用のサムターンによれば、摘み体の軸部の係合機構としての被係合部が互いに異なる摘み体を複数個備えるとともに、前記摘み体の被係合部に係合する係合機構としての係合部が互いに異なる操作部材を上記摘み体と同数個備えてなり、上記摘み体と操作部材とは、摘み体の被係合部と操作部材の係合部とが係脱自在に係合できるもの同士が一対として選択使用できるようにしてあることから、被係合部と係合部とからなる一対の異なる構成の係合機構を複数組揃えてあるので、鍵違い的にサムターンの摘み違いが実現でき、摘み体に対する不正使用も防止できるし、サムターン回しによる不正解錠を一層確実に防止でき、より一層安全な扉錠用のサムターンが提供できる。
【実施例】
【００１６】
本発明の実施例を図１〜図７に基づいて以下に説明する。
１は扉イに取り付けた扉錠であって、この扉錠１は、錠杆３と該錠杆３を出没するためのハブ４やクリックモーション用バネ等の出没操作機構とを内装した錠ケース２と、室外側に設けたシリンダー１０と、室内側にシリンダー１０と同軸的に設けたサムターン２０などからなっている。錠杆３は、周知の如く、シリンダー１０を合鍵により、又はサムターン２０を回動することにより、突出または後退することで施錠又は解錠できる。
【００１７】
なお、図２で、５は錠ケース取付ねじ、６は錠ケース２のフロント板である。図１、図４及び図５で、２１はケース体３０を扉イに取り付けるためのネジである。このサムターンの取り付け方法は種々公知であるが、本願はその取付方法の如何を問わない。
【００１８】
前記サムターン２０は、内部に空室３５を有するとともに軸嵌挿孔３６を有するケース体３０と、このケース体３０の軸嵌挿孔３６の一端側より回動自在に嵌挿された軸部４１と該軸部４１に接続された摘み部４２とを有する摘み体４０と、前記ケース体３０の軸嵌挿孔３６の他端側に設けられ、かつ前記摘み体４０の軸部４１が接続される操作部材５０とを備えている。
【００１９】
ケース体３０は、断面が略皿状の外ケース３１と、この外ケース３１に嵌装された断面が略皿状の内ケース３２と、前記内外両ケース３２，３１の開口部３３を閉塞する裏蓋３４とからなっている。これら外ケース３１と内ケース３２と裏蓋３４とを閉じた状態において、その内部には空室３５が形成されるとともに、上記内外両ケース３２，３１と裏蓋３４の中央部には、図３に示すように、同図の一端側（右端側）から他端側（左端側）に向けて軸嵌挿孔３６が形成されている。
【００２０】
摘み体４０は、ケース体３０の軸嵌挿孔３６の一端側より嵌挿される軸部４１と、この軸部４１に一体に連続形成された摘み部４２とからなっている。
摘み部４２は、室内側に突出されるもので、該摘み部４２を手で施錠方向又は解錠方向に回動することにより、軸部４１に接続された操作部材５０を介して、錠ケース２に内装されたハブ４を回動して、錠杆３を突出又は後退させ、施錠又は解錠状態とする。
【００２１】
前記操作部材５０は、一端側（図３で右端側）に鍔部５１を形成し、この鍔部５１を前記ケース体３０の裏蓋３４の軸嵌挿孔３６の孔縁部に形成した凹陥部３４ａに嵌合する。また、前記鍔部５１から他端側（図３で左端側）に向けて軸嵌入穴５２が形成され、この軸嵌入穴５２に摘み体４０の軸部４１の他端側（図３で左端側）が嵌合される。そして、操作部材５０の他端側（図３で左端側）は錠ケース２のハブ４のハブ孔４ａに係合される。
【００２２】
上記構成において、前記摘み体４０の軸部４１の周方向にはケース体３０の空室３５に臨む位置に環状の凹部４３を形成している。また、この凹部４３の上方位置でケース体３０の空室３５には、コイルバネなどのバネ６１により常時には前記軸部４１の凹部４３に係合するように付勢されたボールやピン等のロック部材６０が設けてある。前記バネ６１の強さは、摘み体４０を抜き差しする時に支障のない範囲で強くすることが望ましい。
【００２３】
前記ロック部材６０たるボールは、この実施例では４個を軸部４１の凹部４３の周方向等配位置に配設しているが、摘み体４０の脱落防止を図る目的から考えると、ロック部材６０たるボールは２個、３個、５個などの複数個の方が好ましい。
【００２４】
一方、摘み体４０の軸部４１及び摘み部４２と前記操作部材５０とは、摘み体４０の軸部４１の他端側と操作部材５０とに設けた係合機構７０の係合により一体に回動されるように設けてある。
【００２５】
すなわち、係合機構７０として、この実施例では、図３、図６及び図７に示すように、摘み体４０の軸部４１の他端側に凹状の被係合部４５，４５を直径線上に形成するとともに、操作部材５０の軸嵌入穴５２の内壁面には前記被係合部４５、４５に対向して突起状の係合部５５，５５が形成されている。従って、摘み体４０の軸部４１を操作部材５０の軸嵌入穴５２に嵌挿する場合には、前記被係合部４５に係合部５５を嵌入させることにより行えるし、該軸部４１の軸嵌入穴５２への抜き差しもできる。そして、前記被係合部４５と係合部５５とが嵌入している状態で摘み体４０を回動すると、前記被係合部４５と係合部５５とが回動方向に係合状態となっているので、操作部材５０は摘み体４０と一体に回動される。
【００２６】
また、前記係合機構７０，つまり軸部４１の被係合部４５と操作部材５０の係合部５５とは、両者４５、５５が係合した状態で摘み部４２を解錠方向に回動した状態では摘み体４０の摘み部４２が縦向きとなり（図１、図２、図３の実線４２参照）、摘み部４２を施錠方向に回動した状態では前記摘み部４２が横向きとなる（図１、図２の仮想線４２参照）ようにしてある。そのため、摘み部４２が縦向きの場合には解錠状態であり、横向きの場合には施錠状態であることが、サムターンの摘み部４２を一見しただけで判別できるので便利である。
【００２７】
さらに、摘み体４０は、前述したように、室内側でケース体３０及び操作部材５０からロック部材６０に対するバネ６１の付勢力に抗して外方へ引き抜けるようにしてある。この摘み体４０をケース体３０から引き抜く場合に、摘み体４０を手で把持して施錠方向に回動して、操作部材５０を介して錠杆３を突出させ施錠状態とした後に、該摘み体４０をバネ６１によるロック部材６０の軸部４１の凹部４３への押圧力に抗して引き抜くとよい。そうすれば、室外から不正解錠用の道具を引掛けるべき摘み体４０が引き抜かれて存在しないので、サムターン回しによる不正解錠が完全に防止できる。
【００２８】
次に、本発明のサムターン２０の使用方法ないし動作について以下に説明する。
図１は本発明の着脱式サムターン２０を使用した扉錠１を室内側から見た正面図、図２は図１の左側面図であるが、両図において、摘み体４０をケース体３０に差し込んだ場合は、実線で示すように摘み部４２が垂直状態で錠杆３は後退した解錠状態である。この解錠状態から摘み部４２を手で把持して施錠方向に回動して該摘み部４２を仮想線で示すように水平状態にすると、前述したように操作部材５０が錠ケース２内のハブ４を作動して錠杆３が突出して施錠状態となる。なお、ロック部材６０は、バネ６１により軸部４１の凹部４３に強く押圧されているので、摘み体４０がケース体３０から脱落するのを防止している。また、摘み部４２の回動時には、ロック部材６０はバネ６１の付勢力による押圧力が作用しているので、回動する時はこの押圧力による摩擦抵抗に打ち勝つ必要がある。
【００２９】
上記施錠状態において、摘み体４０の摘み部４２に対して、室外から不正解錠用の道具を引掛けて該摘み部４２を解錠方向に回動しようとしても、摘み部４２と連続形成された軸部４１の凹部４３にロック部材６０がバネ６１の付勢力により強く押圧されているので、該軸部４１を解錠方向に回動することができない。従って、室外から不正解錠用の道具でサムターン回しにより不正解錠されるのを防止できる。
【００３０】
また、前記施錠状態において、摘み体４０をケース体３０から引き抜いた場合には、前述したように、室外から不正解錠用の道具を引掛けるべき摘み体４０が存在しないので、サムターン回しによる不正解錠をすることができない。従って、この場合にはサムターン回しによる不正解を確実に防止できる。しかも、摘み体４０をケース体３０から引き抜く場合、室内側から摘み部４２を把持してロック部材６０のバネ６１による軸部４１の凹部４３への押圧力に抗して引き抜くだけでよいので、摘み体４０の引き抜き操作が簡単である。
【００３１】
また、施錠状態で摘み体４０がケース体３０から引き抜かれた状態においては、図５に示すように、ケース体３０の空室３５内のロック部材６０、６０、６０、６０はバネ６
１、６１、６１、６１により軸嵌挿孔３６の軸心方向（圧縮方向）へ移動され、各ロック部材６０同士は当接して軸嵌挿孔３６を塞いでいる。従って、不正解錠用の道具が前記軸嵌挿孔３６の入口より進入するのを阻止し、摘み体４０の回動が阻止され、操作部材５０を介して錠杆３を突出させることができない。
【００３２】
摘み体４０がケース体３０の軸嵌挿孔３６から引き抜かれた図５の状態から、図３の如く摘み体４０の軸部４１が軸嵌挿孔３６に差し込まれた状態とするには、ケース体３０の軸嵌挿孔３６の入口に軸部４１のテーパ面４６を当てながら押し込むと、バネ６１の付勢力に抗してロック部材６０を押し上げつつ該軸部４１を前進し、軸部４１の被係合部４５と操作部材５０の係合部５５とが係合される。そこで、摘み体４０を回動すると、該摘み体４０と操作部材５０とは一体となって回動される。
【変形例等】
【００３３】
本発明のロック部材６０は、実施例で示した球形のボールに限らず、適宜設計変更できるものである。例えば、図８に示すように断面が略円錐形状で上部にバネ６１を収容する凹部６２を形成したものでもよく、又は断面円柱状などでもよく、その他任意である。
【００３４】
摘み体４０の軸部４１に形成した凹部４３は、実施例で示した環状のものに限らず、軸部４１の周方向に間隔を置いて形成した部分的な穴状の凹部などでもよく任意である。
【００３５】
摘み体４０の軸部４１と摘み部４２とは、実施例では一体に形成しているが、両者４１、４２は別体で形成して溶接や嵌合方式や係合方向などによって一体的に形成したものも含む。
【００３６】
ケース体３０や摘み体４０や操作部材５０の形状は、図示のものに限定されるものではなく、適宜設計変更できる。
【００３７】
摘み体４０の軸部４１と操作部材５０との係合機構７０としては、実施例では、図７に示したように、凹状の被係合部４５と突起状の係合部５５を採用したが、これと異なる形状の係合機構７０のものを複数組採用することによって、鍵違い的にサムターンの摘み違いを実現することができる。このように摘み違いとすることによって、摘み体４０に対する他人による不正使用が防止できるとともに、使用中の摘み体４０や操作部材５０が損傷等により交換したい場合に、新品の摘み体４０や操作部材５０と取り替えできる利点がある。
【００３８】
上記摘み違いの具体例を図９（ Ａ）、（Ｂ）、（Ｃ）に例示する。
すなわち、同図の（ Ａ）は、軸部４１の被係合部４５、４５、４５を３個所に形成して、２個所の被係合部４５、４５は略平板状に切削面とし、１個所の被係合部４５は略平板に近い窪み面としている。そして、操作部材５０には前記被係合部４５、４５、４５に対向して、２個所の係合部５５、５５は略平板状の突起面とし、１個所の係合部５５は前記略平板に近い窪み面とした被係合部４５に当接する突起面としている。
【００３９】
また、図９の（Ｂ）は、３個所の被係合部４５、４５、４５と３個所の係合部５５、５５、５５は、それぞれ前記（ Ａ）に記載した形状のものと殆ど酷似しているが、（ Ａ）のものに比べて、それぞれの形成位置を異ならしめて、前記（ Ａ）のものと互換性を生じないようにしたものである。
【００４０】
さらに、図９の（Ｃ）は、（ Ａ）及び（Ｂ）と比べて、３個所に被係合部４５、４５、４５と係合部５５、５５、５５を形成している点は共通するが、上記の目的の為にそれらの形成位置及び形状が（ Ａ）及び（Ｂ）と異なる構成としている。
【００４１】
すなわち、例えば、上記記図９（ Ａ）、（Ｂ）、（Ｃ）の係合機構７０のものと、図７の係合機構７０のものとは、いずれも異なる構成としているので、４組の摘み違いを実現したことになる。
【００４２】
上記図９（ Ａ）、（Ｂ）、（Ｃ）及び図７に沿って摘み違い例を説明すると、 摘み体４０の軸部４１の係合機構７０としての被係合部４５が互いに異なる摘み体４０を４個備えている。
そして、前記摘み体４０の被係合部４５に係合する係合機構７０としての係合部５５が互いに異なる操作部材５０を上記摘み体４０と同数の４個備えている。
上記摘み体４０と操作部材５０とは、摘み体４０の被係合部４５と操作部材５０の係合部５５とが係脱自在に係合できるもの同士が一対として選択使用できるようにしてある。
【００４３】
摘み違い例としては、図７や図９（ Ａ）、（Ｂ）、（Ｃ）のほかに、不正解錠用の道具で回動できない形状で、かつ室内側から摘み体４０を正常に回動した場合には回動できて、軸部４１と操作部材５０とが一体に回動できるものであれば、任意な形状のものを採用することができる。
すなわち、係合機構７０は、本実施例の図７の形状のもの、図９（ Ａ）、（Ｂ）、（Ｃ）の形状のものに限らず適宜設計変更することができる。例えば、摘み体４０の軸部４１の形状を断面が二等辺三角形や長方形、五角形等であって、軸部４１を係合する時ある一定の向きでしか係合できない方向性のある形状のものであればよい。また、上記軸部４１の形状に対向する操作部材５０の内周壁は、上記軸部４１の形状体を受容して係合するような形状のものを選定することができる。
【産業上の利用可能性】
【００４４】
本発明は、建物の扉の錠前のみならず、自動車その他の閉鎖体の錠前に使用されるサムターンとして適用することができる。
【図面の簡単な説明】
【００４５】
【図１】本発明の実施例の着脱式サムターンを使用した扉錠を室内側から見た正面図である。
【図２】図１の左側面図である。
【図３】図１の Ａ− Ａ線断面拡大図である。
【図４】図３のＢ−Ｂ線断面図である。
【図５】図４で摘み体を引き抜いた状態の断面図である。
【図６】摘み体の正面図である。
【図７】図３のＣ−Ｃ線断面図である。
【図８】バネを取り付けたロック部材の変形例の断面図である。
【図９】それぞれ摘み体の被係合部と操作部材の係合部との変形例を示し、（ Ａ）は第１の変形例の断面図、（Ｂ）は第２の変形例の断面図、（Ｃ）は第３の変形例の断面図である。
【符号の説明】
【００４６】
１        扉錠
２        錠ケース
３        錠杆
１０      シリンダー
２０      サムターン
３０      ケース体
３５      空室
３６      軸嵌挿孔
４０      摘み体
４１      軸部
４２      摘み部
４３      凹部
４５      被係合部
５０      操作部材
５５      係合部
６０      ロック部材
６１      バネ
７０      係合機構
【図１】
2006194067.tif 000003
【図２】
2006194067.tif 000004
【図３】
2006194067.tif 000005
【図４】
2006194067.tif 000006
【図５】
2006194067.tif 000007
【図６】
2006194067.tif 000008
【図７】
2006194067.tif 000009
【図８】
2006194067.tif 000010
【図９】
2006194067.tif 000011